(57)【特許請求の範囲】
【請求項１】
配線器具を数や配置を換えて所定の位置に取付可能なそれぞれ同型を呈する取付枠を所定の位置に装着可能なそれぞれ同型を呈する複数個の装着窓が所定の間隔で横方向へ連設されているプレート枠と、前記取付枠に取り付けた配線器具に対応した透窓を有する前記各装着窓に装着される平板状の化粧プレートとからなり、前記プレート枠における装着窓の内側枠縁に前記化粧プレートの厚さに等しい深さを有する前記化粧プレートを支持するための枠状段部が形成されていることを特徴とする配線器具用化粧プレート。
【請求項２】
前記化粧プレートの横幅が前記プレート枠における前記連設される配線器具取付枠の取付間隔を越えることがないとともに、前記化粧プレートの縦幅が少なくとも前記プレート枠における縦方向の配線器具の取付間隔にプレート枠取付ねじの頭径を加えた長さよりも長くした前記請求項１に記載の配線器具用化粧プレート。
【発明の詳細な説明】
【０００１】
【発明の属する技術分野】
本発明は、コンセントやスイッチ等の配線器具を壁面等に取り付ける際に用いられる化粧プレートに関するものである。
【０００２】
【従来の技術】
従来、コンセントやスイッチ等の配線器具を例えば配線器具取付用ボックスや中空壁用取付具等を用いて室内の壁面等に取り付ける際に、表面に配線器具用化粧プレートが装着されている。
【０００３】
図８は従来の配線器具用化粧プレートの一例を示すものであり、配線器具用化粧プレート１は、壁面の裏側に沿って配置された配線器具取付用ボックスや中空壁用取付枠等（図示せず）に配線器具取付枠４を介して取り付けられた配線器具５にプレート枠取付ねじ５１，５１により装着されるプレート枠２と、このプレート枠２に形成されている前記配線器具取付枠４を装着するための装着窓２１を、配線器具５を露出させた状態で覆う化粧プレート３とからなる。
【０００４】
そして、前記従来の配線器具５は例えば図９に示すように、一つの配線器具取付枠４に所望の用途に応じた各種の配線器具５を１乃至３個程度の範囲で取り付けることが可能であるものが一般的であり、配線器具取付枠４に装着するプレート枠２は一定の形状のものがあれば足りる。
【０００５】
ところが、プレート枠２に装着される化粧プレート３については、前記配線器具取付枠４に取り付けられた配線器具５を露出させるための透窓３１を設けなければならないが、配線器具取付枠４に取り付けられる配線器具５に対応した異なる形状、更には異なる数の透窓３１を形成した複数種類のものが必要であった。
【０００６】
殊に、近頃では、室内で使用される電気器具の種類が増え、更には制御手段が複雑となっている。そのため、例えば配線器具取付枠４を横方向に連設することが行われており、図１０に示すように複数個の装着窓２１が所定の間隔で横方向へ連設されているプレート枠３が用いられ、図１１に示すように、使用する配線器具の種類や数に応じた透窓３１を形成した化粧プレートを装着することになる。
【０００７】
そして、壁面に取り付けられる配線器具５の数や種類も多様化されている。従って、図１２に示すように、使用する配線器具の種類や数に応じて透窓３１を形成した多数種類の化粧プレート３が必要であり、使用状態を想定して多数種類の化粧プレート３を予め用意しておかなければならない。
【０００８】
ところが、多数種類の化粧プレート３を製造するのは型材等の作成の点で多額の費用を要し経済的にきわめて不利であるとともに、管理や保管の面でも無駄が生じる、という問題点がある。
【０００９】
【発明が解決しようとする課題】
本発明はかかる実状に鑑みてなされたものであり、少ない部品点数で構成され、従って、製造、経済面できわめて有利であるとともに、管理や保管の面でも優れた配線器具用化粧プレートを提供することを課題とするものである。
【００１０】
【課題を解決するための手段】
前記課題を解決するため本発明は、配線器具を数や配置を換えて所定の位置に取付可能なそれぞれ同型を呈する取付枠を所定の位置に装着可能なそれぞれ同型を呈する複数個の装着窓が所定の間隔で横方向へ連設されているプレート枠と、前記取付枠に取り付けた配線器具に対応した透窓を有する前記各装着窓に装着される平板状の化粧プレートとからなり、前記プレート枠における装着窓の内側枠縁に前記化粧プレートの厚さに等しい深さを有する前記化粧プレートを支持するための枠状段部が形成されている。
【００１１】
従って、複数個の配線器具取付枠装着用の装着窓を連設させたプレート枠を用いた場合に、連設させた各々の装着窓を化粧プレートで一つずつ覆うことにより、従来のように、装着窓を連接させたプレート枠全体を一つの化粧プレートで覆う場合のように多数種類の化粧プレートを必要としない。
【００１２】
即ち、同一外形で数種類の配線器具用の透窓を有する化粧プレートを用意すれば足りる。
【００１３】
また、化粧プレートの横幅を前記プレート枠における前記連設される配線器具の取付間隔を越えることがないようにすることにより、互いに隣接して配置される化粧プレート同士が重なる心配がなく、前記化粧プレートの縦幅が少なくとも前記プレート枠における縦方向の配線器具取付枠の取付間隔にプレート枠取付ねじの頭径を加えた長さよりも長くすることにより、化粧プレートでプレート枠に連設させた配線器具ごとの装着窓を確実に覆うことができるとともに化粧プレートを取り外した状態で配線器具取付ねじの頭径を露出させて配線器具取付ねじの操作を可能とする。
【００１４】
【発明の実施の形態】
次に本発明の実施の形態について説明する。尚、前記従来例と同一構成部には同一符号を付した。
【００１５】
図１乃至図６は本発明の好ましい実施の形態の一つを示すものであり、配線器具用化粧プレート１は、従来の配線器具用化粧プレートと同じくプレート枠２と化粧プレート３とからなる。
【００１６】
そして、プレート枠２は、所定の間隔で配置される縦桟２２によって、配線器具取付枠４（図２参照）を装着するためのそれぞれ同型を呈する複数個の装着窓２１が所定の間隔で横方向へ連設されている。
【００１７】
尚、図１（Ａ）は２個の装着窓２１が連設されたもの、図１（Ｂ）は３個の装着窓２１が連設されたものであるが、装着窓２１の連接数は問わない。また、図１（Ｃ）に示したものは１個の装着窓２１を設けたものであるが、このようなプレート枠２についても本発明の化粧プレート３を装着することができる。
【００１８】
また、プレート枠２の内側枠縁２３には化粧プレート３の厚さに等しい深さを有する枠状段部２４が形成されているとともに各装着窓２１の上縁２５、下縁２６には配線器具取付枠４および化粧プレート３の装着部材２７が形成されている。この装着部材２７には各装着窓２１の横方向の中心位置に配線器具取付枠４に形成されている取付ねじ孔４１に連通する取付ねじ５１の挿通孔２８が形成されている。
【００１９】
一方、前記プレート枠２に形成されている各々の装着窓２１を覆って装着される化粧プレート３は、図２に示すように全体が縦長矩形を呈する板状であって、配線器具取付枠４に取り付けられた配線器具５に対応した透窓３１が形成されている。
【００２０】
この透窓３１は、例えば、図２に示すように、従来一般に使用されている縦方向に３個の配線器具５を選択して任意の位置に取り付けることが可能な配線器具取付枠４を用いる場合には、図３（Ａ）に示すような１個分の配線器具５に対応する透窓３１を形成したもの、図３（Ｂ）に示すような２個分の配線器具５に対応する透窓３１を形成したもの、更には図３（Ｃ）に示すような３個分の配線器具５に対応する透窓３１を形成したものが必要である。
【００２１】
更に、化粧プレート３は、横幅ａがプレート枠２における連設される配線器具取付枠４の取付間隔ｃ（即ち、プレート枠２に形成された互いに隣接する装着部材２７の挿通孔２８の間隔）を越えることがないとともに、縦幅ｂが少なくとも前記プレート枠２における縦方向の配線器具取付枠４の取付間隔ｄに配線器具取付ねじ５１の頭径ｅを加えた長さよりも長く形成されている。
【００２２】
このように構成される本実施の形態は、例えば図４に示すように、３個の装着窓２１が連設されたプレート枠２に、２個分の配線器具５、３個分の配線器具５、１個分の配線器具５が取り付けられた３個の配線器具取付枠４を取り付ける場合には、図５に示すように、壁面の裏側に沿って配置された配線器具取付用ボックスや中空壁用取付枠等（図示せず）に止めねじ４２により、予め配線器具５を取り付けた配線器具取付枠４をそれぞれ取り付け、これらの配線器具取付枠４の取付ねじ孔４１に、プレート枠２の挿通孔２８から挿通した取付ねじ５１を螺締して、プレート枠２を壁面の表面（図示せず）に配置固定する。
【００２３】
そして、各配線器具取付枠４（配線器具５）をそれぞれ取り付けた３個の装着窓２１に、それぞれ一つの装着窓２１に対応して個別に形成された化粧プレート３を装着する。
【００２４】
このとき、図４に示したように、各装着窓２１毎に装着された配線器具５の取付け数に応じた化粧プレート３を選択して装着する。
【００２５】
このように、本実施の形態では、各配線器具取付枠４に１〜３個分の各種の配線器具を取り付けることが可能である。従って、前記図４に示した３種類の化粧プレート３を用意しておけば各種更には複数の配線器具５を取り付けた場合に対応できる。
【００２６】
即ち、例えば、図６に示すように配線器具の配置や種類を変えた場合にもそれぞれの装着窓２１に対応した化粧プレート３を装着すればよく、従来のように全体の配線器具の配置に会わせた化粧プレート３を必要としない。
【００２７】
尚、本実施の形態では、図７に示すように、プレート枠２の装着部材２７に、化粧プレート３の裏面に突設された係止突起３２の係止部２９が形成されている。従って、化粧プレート３の着脱を確実且つきわめて簡単に行うことができる。
【００２８】
また、化粧プレート３の横幅ａがプレート枠２における連設される配線器具５の取付間隔ｃを越えることがないことから、プレート枠２に連接された各装着窓２１に装着される化粧プレート３が互いに隣接する同士が重なり合うことがない。特に、化粧プレート３の横幅ａを配線器具５の取付間隔ｃに等しくした場合には、化粧プレート３が横方向に隙間なく並ぶとともに、段部２４だけで支持され、縦桟２２は形成されない。
【００２９】
更に、化粧プレート３の縦幅ｂが少なくともプレート枠２における縦方向の配線器具５の取付間隔ｄにプレート枠取付ねじ５１，５１の頭径ｅを加えた長さよりも長いので、化粧プレート３をはずした状態で、配線器具取付ねじ５１の頭部が確実に露出するので、締めたり緩めたりの操作を確実に行うことができる。
【００３０】
【発明の効果】
以上のように本発明は、複数個の配線器具取付枠装着用の装着窓を連設させたプレート枠を用いた場合に、連設させた配線器具ごとに装着窓を化粧プレートで覆うことにより、従来のように、連設させた装着窓に装着される配線器具取付枠に取り付けられる配線器具の種類や数，更には配置に応じた多数種類の化粧プレートを必要とせず、同一外形で数種類の配線器具の露出窓の化粧プレートを用意すれば足りる。
【００３１】
従って、使用する金型の数が少なくてよく、生産コストの低減を図ることができるとともに、品質管理や保管、更には修理の際にもきわめて有利である。
【００３２】
また、化粧プレートの横幅を前記プレート枠における連設される配線器具の取付間隔を越えることがないようにすることにより、互いに隣接して配置される化粧プレート同士が重なる心配がない。
【００３３】
更に、記化粧プレートの縦幅が少なくともプレート枠における縦方向の配線器具の取付間隔に配線器具取付ねじの頭径を加えた長さよりも長くすることにより、化粧プレートでプレート枠に連設させた配線器具ごとの装着窓を確実に覆うことができるとともに化粧プレートを取り外した状態で配線器具取付ねじの頭径を露出させて配線器具取付ねじの操作を可能とする。
【図面の簡単な説明】
【図１】本発明の実施の形態に用いられるプレート枠を示す正面図。
【図２】本発明の実施の形態における取付け手順を示す説明図。
【図３】本発明の実施の形態に用いられる化粧プレートを示す正面図。
【図４】本発明の実施の形態を示す部品図。
【図５】本発明の実施の形態における使用状態を示す説明図。
【図６】本発明の実施の形態における配線器具用化粧プレートを示す正面図。
【図７】図５に示すＸ−ＸおよびＹ−線に沿う拡大断面図。
【図８】従来例における取付け手順を示す説明図。
【図９】従来例における取付け手順を示す説明図。
【図１０】従来例におけるプレート枠を示す正面図。
【図１１】従来例における配線器具用化粧プレートを示す正面図。
【図１２】従来例における化粧プレートを示す正面図。
【符号の説明】
１  配線器具用化粧プレート
２  プレート枠
３  化粧プレート
５  配線器具
２１  装着窓部
５１  プレート枠取付ねじ
【図１】
0004521668.tif 000002
【図２】
0004521668.tif 000003
【図３】
0004521668.tif 000004
【図４】
0004521668.tif 000005
【図５】
0004521668.tif 000006
【図６】
0004521668.tif 000007
【図７】
0004521668.tif 000008
【図８】
0004521668.tif 000009
【図９】
0004521668.tif 000010
【図１０】
0004521668.tif 000011
【図１１】
0004521668.tif 000012
【図１２】
0004521668.tif 000013